(57)【要約】      （修正有）【課題】日常生活での使用機能をもち、有事には、迅速な避難準備、避難行動ができる機能をもつ避難用カートを提供する。【解決手段】上面板２と右側板２６と左側板２５と背面板３と前面板１とで収納箱を形成し、箱内に一対の車輪３７および一対のキャスター３３を収納し、一対の車輪３７および一対のキャスター３３は、収納箱の外方へ引き出し可能に構成している避難用カートである。【選択図】図２
0003204858.tif 000002
【実用新案登録請求の範囲】
【請求項１】
日常は、車輪が格納されており、椅子として使用でき、非常時には、格納された車輪が、手操作によって、繰り出され、移動用カートとして機能する避難用カート。
【請求項２】
座板と右側板と左側板と背面板と前面板とで収納箱を形成し、箱内に一対の車輪および一対のキャスターを収納し、一対の車輪および一対のキャスターは、収納箱の外下方へ引き出し可能に構成している請求項１記載の避難用カート。
【請求項３】
上記収納箱が、繰出し収納操作機構部、車輪繰出し収納機構部、キャスター繰出し収納機構部を含む請求項２記載の避難用カート。
【請求項４】
上記収納箱と、前面板と背面板の両側からそれぞれ前後ロックレバーを操作することで、収納されている一対の車輪および一対のキャスターを即座に繰り出し固定できる、あるいは、繰り出された一対の車輪および一対のキャスターを収納固定できる請求項２記載の避難用カート。
【請求項５】
上記繰出し収納操作機構部が、ロック部ベース、前ロックレバー、前ロックアーム、後ロックレバー、後ロックストッパ板、後ロックアームを含む請求項３記載の避難用カート。
【請求項６】
上記ロック部ベースが、木ねじで固定されたロック部ベースＡとロック部ベースＢを含む請求項５記載の避難用カート。
【請求項７】
上記車輪繰出し収納機構部が、右サイドブラケットの穴及び右内部板の穴に通るパイプシャフトを介して回転する右回転アーム、左サイドブラケットの穴及び左内部板の穴に通るパイプシャフトを介して回転する左回転アーム、左右回転アームに固定されたバネポスト、左右内部板に固定されたバネポスト、およびそのふたつのバネポストに固定された引っ張りバネを含む請求項３記載の避難用カート。
【請求項８】
上記キャスター繰出し収納機構部が、左右内部板の穴に通るパイプシャフトを介して回転するキャスターブラケット、キャスターブラケットに固定された左右キャスター、キャスターブラケットに固定されたバネポスト、バネブラケットに固定されたバネポスト、およびそのふたつのバネポストに固定された引っ張りバネを含む請求項３記載の避難用カート。
【請求項９】
上記収納箱が、箱を形成する構造用パイプ、車輪繰り出し収納操作機構部、キャスター着脱操作機構部、可動背面板、可動足置板を含む請求項２記載の避難用カート。
【請求項１０】
上記車輪繰り出し収納操作機構部が、車輪、車輪軸可動部、車輪繰り出し収納用金具、背面板繰り出し収納用金具、およびこれら金具を支持固定するパイプを含む請求項９記載の避難用カート。
【請求項１１】
上記キャスター着脱操作機構部が、キャスター着脱用パイプを含む請求項９記載の避難用カート。
【考案の詳細な説明】
【技術分野】
【０００１】  本考案は、高齢者や要配慮者が、日常、椅子として使用し、有事には、すばやく避難用カートに変形させ、高齢者、要配慮者および援護者の援護避難を容易にすることができ、高齢者や要配慮者の避難時の初動、避難行動及び避難所生活の利便性を高める。
【背景技術】
【０００２】  避難用器具は、有事に使用することが想定されており、担架、組立式リヤカーなど多種存在する。一方、椅子や車いすは、日常生活でよく使われている。日常は椅子として使用でき、有事には避難用カートとして使用できるものは存在していない。
【考案の概要】
【考案が解決しようとする課題】
【０００３】  避難用器具の先行技術では、狭い通路、段差超え、長い避難路を走破する機能は、満たせていないのでこれを満たし、迅速な避難準備、避難行動ができる器具が必要である。一方で、避難用器具の先行技術は、有事における特殊環境下での使用を主目的としているため、日常生活での使用機能には乏しく、これを解決する必要がある。さらには避難所生活等においても利便性の高い器具が必要となる。
【課題を解決するための手段】
【０００４】  請求項１の考案に係る避難用カートにあたっては、日常は、車輪が格納されており、椅子として使用でき、非常時には、格納された車輪が、手操作によって、繰り出され、移動用カートとして機能することを特徴とする。【０００５】  請求項１の考案に係る避難用カートにあっては、座板と右側板と左側板と背面板と前面板とで収納箱を形成し、箱内に一対の車輪および一対のキャスターを収納し、一対の車輪および一対のキャスターは、収納箱の外下方へ引き出し可能に構成していることを特徴とする。【０００６】  請求項２の考案に係る避難用カートにあっては、上記収納箱が、繰出し収納操作機構部、車輪繰出し収納機構部、キャスター繰出し収納機構部を含むことを特徴とする。【０００７】  請求項２の考案に係る避難用カートにあっては、上記収納箱と、前面板と背面板の両側からそれぞれ前後ロックレバーを操作することで、収納されている一対の車輪および一対のキャスターを即座に繰り出し固定できる、あるいは、繰り出された一対の車輪および一対のキャスターを収納固定できることを特徴とする。【０００８】  請求項３の考案に係る避難用カートにあっては、上記繰出し収納操作機構部が、ロック部ベース、前ロックレバー、前ロックアーム、後ロックレバー、後ロックストッパ板、後ロックアームを含むことを特徴とする。【０００９】  請求項５の考案に係る避難用カートにあっては、上記ロック部ベースが、木ねじで固定されたロック部ベースＡとロック部ベースＢを含むことを特徴とする。【００１０】  請求項３の考案に係る避難用カートにあっては、上記車輪繰出し収納機構部が、右サイドブラケットの穴及び右内部板の穴に通るパイプシャフトを介して回転する右回転アーム、左サイドブラケットの穴及び左内部板の穴に通るパイプシャフトを介して回転する左回転アーム、左右回転アームに固定されたバネポスト、左右内部板に固定されたバネポスト、およびそのふたつのバネポストに固定された引っ張りバネを含むことを特徴とする。【００１１】  請求項３の考案に係る避難用カートにあっては、上記キャスター繰出し収納機構部が、左右内部板の穴に通るパイプシャフトを介して回転するキャスターブラケット、キャスターブラケットに固定された左右キャスター、キャスターブラケットに固定されたバネポスト、バネブラケットに固定されたバネポスト、およびそのふたつのバネポストに固定された引っ張りバネを含むことを特徴とする。【００１２】  請求項２の考案に係る避難用カートにあっては、上記収納箱が、箱を形成する構造用パイプ、車輪繰り出し収納操作機構部、キャスター着脱操作機構部、可動背面板、可動足置板を含むことを特徴とする。【００１３】  請求項９の考案に係る避難用カートにあっては、上記車輪繰り出し収納操作機構部が、車輪、車輪軸可動部、車輪繰り出し収納用金具、背面板繰り出し収納用金具、およびこれら金具を支持固定するパイプを含むことを特徴とする。【００１４】  請求項９の考案に係る避難用カートにあっては、上記キャスター着脱操作機構部が、キャスター着脱用パイプを含むことを特徴とする。
【考案の効果】
【００１５】  日常は、車輪が格納されており、椅子として使用でき、非常時には、格納された車輪が、簡単な手操作によって、繰り出され、避難用カートとして即座に移動できる。
【図面の簡単な説明】
【００１６】
【図１】本考案の一実施例の組み立て図（椅子の時）である。
【図２】本考案の一実施例の組み立て図（避難用カートの時）である。
【図３】本考案の一実施例の内部機構断面図（椅子の時）である。
【図４】本考案の一実施例の内部機構断面図（避難用カートの時）である。
【図５】本考案の一実施例の分解図である。
【図６】本考案の一実施例の［図５］のＡ部拡大図である。
【図７】本考案の一実施例の［図５］のＢ部拡大図である。
【図８】本考案の一実施例の［図５］のＣ部拡大図である。
【図９】本考案の一実施例の正面図（椅子の時）である。
【図１０】本考案の一実施例の平面図（椅子の時）である。
【図１１】本考案の一実施例の側面図（椅子の時）である。
【図１２】本考案の一実施例の内部機構背面図（椅子の時）である。
【図１３】本考案の一実施例の内部機構断面図（椅子の時）である。
【図１４】本考案の一実施例の正面図（避難用カートの時）である。
【図１５】本考案の一実施例の平面図（避難用カートの時）である。
【図１６】本考案の一実施例の側面図（避難用カートの時）である。
【図１７】本考案の一実施例の内部機構背面図（避難用カートの時）である。
【図１８】本考案の一実施例の内部機構断面図（避難用カートの時）である。
【図１９】本考案の一実施例の正面図（避難用カートの時）である。
【図２０】本考案の一実施例の平面図（避難用カートの時）である。
【図２１】本考案の一実施例の平面図（避難用カートの時）である。
【図２２】本考案の一実施例の側面図（避難用カートの時）である。
【考案を実施するための形態】
以下、本考案の実施の形態を図に基づいて説明する。
【実施例１】
【００１７】  図１に示すように、日常は、玄関上がり口等に置いて椅子として使用できる家具となっている。【００１８】  図２に示すように、非常時には、一対の車輪３７および一対のキャスター３３、足置板８が露出しており、引っ張り棒３８が備えられ、避難用カートの形となっている。【００１９】  図３に示すように、車輪３７の軸が連結されている回転アーム６の切りかき溝に、後ロックストッパ板１５が自重によって差し込まれることにより、車輪３７は収納箱に内蔵固定されている。キャスター３３と一体になっているキャスターブラケット９が、前ロックレバー１２と一体になっている前ロックアーム２７の自重によって固定され、キャスター３３は収納箱に内蔵固定されている。【００２０】  図４に示すように、車輪３７の軸が連結されている回転アーム６の上記［００１９］とは異なる、もうひとつの切りかき溝に、後ロックストッパ板１５が自重によって差し込まれることにより、車輪３７は収納箱後方外の位置で固定されている。キャスター３３と一体になっているキャスターブラケット９が、後ロックストッパ板１５と連動して動く後ロックレバー１４と一体になっている後ロックアーム２８の自重によって固定され、キャスター３３は収納箱前方外の位置で固定されている。【００２１】  上記［００１９］［００２０］の固定されている状態は、前ロックレバー１２および後ロックレバー１４を手操作で上にあげることによって解除され、重力を利用して［００１９］［００２０］のいずれの状態にも移行できる。【００２２】  図５に示すように、本考案の一実施例は、Ａ部、Ｂ部、Ｃ部で構成されている。【００２３】  図６は、Ａ部の拡大図である。【００２４】  図７は、Ｂ部の拡大図である。【００２５】  図８は、Ｃ部の拡大図である。
【実施例２】
【００２６】  図９に示す一実施例は、車輪３７は収納箱内に収納固定されており、日常は、玄関上がり口等に置いて椅子として使用できる。車輪間には、空間が確保されており、簡易トイレ等多用途に使い分けできる。【００２７】  図１０、図１１に示すように、車輪３７は収納箱内に収納固定されており、出っ張り等のない形に収まっている。【００２８】  図１２、図１３に示すように、箱を形成する構造用パイプ４０は、車輪繰り出し収納用金具４１、背面板繰り出し収納用金具４２、及びキャスター着脱用パイプ４３を支持するパイプと連結し、箱の内部に収まっている。【００２９】図１４、図１５、図１６に示すように、車輪３７、キャスター３３が繰り出され、背面板３および足置板８が起こされ、避難カートの形を呈している。【００３０】図１７、図１８に示すように、手操作による、矢印で示す動きにより、車輪３７は後方外へ繰り出され、同時に背面板３が起こされている。キャスター３３は、キャスター着脱用パイプ４３に装着され、足置用パイプ４４は、前方へ開かれている。【００３１】図１９、図２０は、段差などを、避難カートを持ち上げて超える場合に使用する持ち上げアーム３９を上記［００２９］の避難用カートに、装着した実施例である。【００３２】図２１、図２２は、避難カートを、前で引っ張り、後ろから押す場合に使用する引っ張りアーム３８を上記［００２９］の避難用カートに、装着した実施例である。
【符号の説明】
【００３３】１      前面板
２      上面板
３      背面板
４      左内部板
５      右内部板
６      左回転アーム
７      右回転アーム
８      足置板
９      キャスターブラケット
１０    ロック部ベースＡ
１１    ロック部ベースＢ
１２    前ロックレバー
１３    右前ロックアーム
１４    後ロックレバー
１５    後ロックストッパ板
１６    右後ロックアーム
１７    左サイドブラケット
１８    右サイドブラケット
１９    アームストッパー
２０    キャスターストッパー
２１    バネブラケット
２２    キャスタ収納板
２３    ブロックＡ
２４    ブロックＢ
２５    側板（左）
２６    側板（右）
２７    左前ロックアーム
２８    左後ロックアーム
２９    ロック盤
３０    セットカラー
３１    パイプシャフト
３２    パイプシャフト
３３    キャスター
３４    引っ張りバネ
３５    バネポスト
３６    圧縮バネ
３７    車輪
３８    引っ張りアーム
３９    持ち上げアーム
４０    構造用パイプ
４１    車輪繰り出し収納用金具
４２    背面板繰り出し収納用金具
４３    キャスター着脱用パイプ
４４    足置用パイプ
【図１】
0003204858.tif 000003
【図２】
0003204858.tif 000004
【図３】
0003204858.tif 000005
【図４】
0003204858.tif 000006
【図５】
0003204858.tif 000007
【図６】
0003204858.tif 000008
【図７】
0003204858.tif 000009
【図８】
0003204858.tif 000010
【図９】
0003204858.tif 000011
【図１０】
0003204858.tif 000012
【図１１】
0003204858.tif 000013
【図１２】
0003204858.tif 000014
【図１３】
0003204858.tif 000015
【図１４】
0003204858.tif 000016
【図１５】
0003204858.tif 000017
【図１６】
0003204858.tif 000018
【図１７】
0003204858.tif 000019
【図１８】
0003204858.tif 000020
【図１９】
0003204858.tif 000021
【図２０】
0003204858.tif 000022
【図２１】
0003204858.tif 000023
【図２２】
0003204858.tif 000024
【手続補正書】
【提出日】平成27年8月25日(2015.8.25)
【手続補正１】
【補正対象書類名】実用新案登録請求の範囲
【補正対象項目名】全文
【補正方法】変更
【補正の内容】
【実用新案登録請求の範囲】
【請求項１】
座板と右側板と左側板と背面板と前面板とで収納箱を形成し、箱内に一対の車輪および一対のキャスターを収納し、一対の車輪および一対のキャスターは、収納箱の外下方へ引き出し可能に構成している避難用カート。
【請求項２】
上記収納箱が、
右内部板と左内部板の両内面側に固定された長方形状板ロック部ベースＡと、長方形状板ロック部ベースＡ中央に垂直固定された凸形状板ロック部ベースＢとで構成されたロック部ベースと、
多角形状板右前ロックアームと多角形状板左前ロックアームを逆凸型形状板の前ロックレバーの右端及び左端にそれぞれ垂直固設する逆凸型形状板の前ロックレバーと、
多角形状板右後ロックアームと多角形状板左後ロックアームを凸型形状板の後ロックレバーの右端及び左端にそれぞれ垂直固設する凸型形状板の後ロックレバーと、
ノックピンが凹型形状板の後ロックストッパーの凹部内側上下左右に配置固定された、右内部板と左内部板の両内面側に設けた長方形状のほぞ溝に上下可動可能に挟まれた、凹型形状板の後ロックストッパーとで構成され、
上記前ロックレバーは垂直固設した左右前ロックアーム後方端が上記ロック部ベースＢの左右にねじ固定、前ロックレバー板中央後方上部が上記ロック部ベースＡ下部とばねを挟んでロック部ベースＡに長ねじ固定されることにより前ロックレバー前端の上下手操作可動が可能な構造、
上記後ロックレバーは垂直固設した左右後ロックアーム上部端がロック部ベースＢの左右にねじ固定、後ロックレバー中央前方上部が上記ロック部ベースＡ下部とばねを挟んでロック部ベースＡに長ねじ固定されることにより後ロックレバー後端の上下手操作可動が可能な構造、
上記後ロックストッパーの上下ノックピン間に上記後ロックレバー後端を挟み、後ロックレバー後端の上下手操作可動と同時に後ロックストッパー板の上下可動が可能な構造の繰り出し収納操作機構部、
右側板の内側面に固定された右サイドブラケットの穴及び右回転アームの穴を通るパイプシャフトを介して回転する右回転アームと、
右内部板の穴及び左回転アームの穴を通るパイプシャフトを介して回転する左回転アームと、
上記右回転アームのもう一方の穴及び上記左回転アームのもう一方の穴と連結固定されたパイプシャフトを介して回転する右車輪と、
右内部板の内側面に固定されたバネポスト及び左回転アームに固定されたバネポスト、及びそのふたつのバネポストに固定された引っ張りバネと、
上記右サイドブラケットに固定されたアームストッパーとで構成され、
上記右回転アーム、上記左回転アーム、上記右車輪、上記引っ張りバネが一体で、収納箱の外下方への繰り出し動作及び収納箱への収納動作が可能な構造、
左側板の内側面に固定された左サイドブラケットの穴及び当該右回転アームの穴を通るパイプシャフトを介して回転する当該右回転アームと、
左内部板の穴及び当該左回転アームの穴を通るパイプシャフトを介して回転する当該左回転アームと、
当該右回転アームのもう一方の穴及び当該左回転アームのもう一方の穴と連結固定されたパイプシャフトを介して回転する左車輪と、
左内部板の内側面に固定されたバネポスト及び当該左回転アームに固定されたバネポスト、及びそのふたつのバネポストに固定された引っ張りバネと、
上記左サイドブラケットに固定されたアームストッパーとで構成され、
上記当該左回転アーム、上記当該右回転アーム、上記左車輪、上記引っ張りバネが一体で、収納箱の外下方への繰り出し動作及び収納箱への収納動作が可能な構造の車輪繰り出し収納機構部、
右内部板及び左内部板の穴を通る丸パイプを介して固設された回転可能な二つのクランク角パイプ並行連結形状のキャスターブラケットと、
当該キャスターブラケットの夫々のクランク形状角パイプの一端に夫々キャスターベースが固定されたキャスターと、
当該キャスターブラケットの夫々のクランク形状角パイプの他端内側に固定されたバネポストと、
前面板内側面下部に固設されたＵ字形状の金具バネブラケットと、
当該バネブラケット両端外側に夫々固定されたバネポストと、
上記当該キャスターブラケットの夫々のクランク形状角パイプの他端内側に固定されたバネポストと当該バネブラケット両端外側に夫々固定されたバネポストに固定された引っ張りバネとで構成され、
上記キャスターブラケットの丸パイプを回転軸に、上記キャスターブラケット、上記キャスター、上記クランク形状角パイプの他端内側に固定されたバネポスト、上記引っ張りバネが一体で、収納箱の外下方への繰り出し動作及び収納箱への収納動作が可能な構造のキャスター繰出し収納機構部を含む、請求項２に記載の避難用カート。
【請求項３】
車輪、キャスター収納時は、上記繰り出し収納操作機構部の後ロックストッパー下端が上記車輪繰り出し収納機構部の左右回転アームの淵に設けられた角溝に噛んでおり車輪は収納された位置で固定され、また上記繰り出し収納操作機構部の前ロックレバーに固設されている左右前ロックアームの前下端部が上記キャスター繰出し収納機構部のキャスターブラケットの後下端部を前方に抑え固定することによりキャスターは収納された位置で固定される構造、
車輪、キャスター繰出し時は、上記繰り出し収納操作機構部の後ロックレバー後端を上方へ動かす手操作により、後ロックストッパー下端が上記車輪繰り出し収納機構部の左右回転アームの淵に設けられた角溝から外れ、車輪、上記回転アーム、上記引っ張りバネが一体で、収納箱の外下方へ繰り出され、後ロックストッパー下端が上記車輪繰り出し収納機構部の左右回転アームの淵に設けられた上記角溝とは別の角溝に噛んで車輪は繰出された位置で固定され、また上記繰り出し収納操作機構部の前ロックレバー前端を上方へ動かす手操作により上記キャスター繰出し収納機構部のキャスターブラケットの後下端部を前方に抑え固定していた左右前ロックアームの前下端部が上方へ上がり、抑え固定がはずれ、上記キャスターブラケット、上記キャスター、上記キャスターブラケットの夫々のクランク形状角パイプの他端内側に固定されたバネポスト、上記引っ張りバネが一体で、収納箱の外下方へ繰り出され、キャスターブラケットの後上端部を上記繰り出し収納操作機構部の後ロックアーム下方前先端部が下方へ抑え固定することによりキャスターは繰り出された位置で固定される構造を含む、請求項２に記載の避難用カート。
【請求項４】
上記繰出し収納操作機構部が、右内部板と左内部板の両内面側に固定された長方形状板ロック部ベースＡと、長方形状板ロック部ベースＡ中央に垂直固定された凸形状板ロック部ベースＢとで構成されたロック部ベースと、
多角形状板右前ロックアームと多角形状板左前ロックアームを逆凸型形状板の前ロックレバーの右端及び左端にそれぞれ垂直固設する逆凸型形状板の前ロックレバーと、
多角形状板右後ロックアームと多角形状板左後ロックアームを凸型形状板の後ロックレバーの右端及び左端にそれぞれ垂直固設する凸型形状板の後ロックレバーと、
ノックピンが凹型形状板の後ロックストッパーの凹部内側上下左右に配置固定された、右内部板と左内部板の両内面側に設けた長方形状のほぞ溝に上下可動可能に挟まれた、凹型形状板の後ロックストッパーとで構成され、
上記前ロックレバーは垂直固設した左右前ロックアーム後方端が上記ロック部ベースＢの左右にねじ固定、前ロックレバー板中央後方上部が上記ロック部ベースＡ下部とばねを挟んでロック部ベースＡに長ねじ固定されることにより前ロックレバー前端の上下手操作可動が可能な構造、
上記後ロックレバーは垂直固設した左右後ロックアーム上部端がロック部ベースＢの左右にねじ固定、後ロックレバー中央前方上部が上記ロック部ベースＡ下部とばねを挟んでロック部ベースＡに長ねじ固定されることにより後ロックレバー後端の上下手操作可動が可能な構造、
上記後ロックストッパーの上下ノックピン間に上記後ロックレバー後端を挟み、後ロックレバー後端の上下手操作可動と同時に後ロックストッパー板の上下可動が可能な構造を含む、請求項３に記載の避難カート
【請求項５】
上記ロック部ベースが、右内部板と左内部板の両内面側に固定された長方形状板ロック部ベースＡと、長方形状板ロック部ベースＡ中央に垂直固定された凸形状板ロック部ベースＢを含む、請求項５に記載の避難用カート。
【請求項６】
上記車輪繰出し収納機構部が、右側板の内側面に固定された右サイドブラケットの穴及び右回転アームの穴を通るパイプシャフトを介して回転する右回転アームと、
右内部板の穴及び左回転アームの穴を通るパイプシャフトを介して回転する左回転アームと、
上記右回転アームのもう一方の穴及び上記左回転アームのもう一方の穴と連結固定されたパイプシャフトを介して回転する右車輪と、
右内部板の内側面に固定されたバネポスト及び左回転アームに固定されたバネポスト、及びそのふたつのバネポストに固定された引っ張りバネと、
上記右サイドブラケットに固定されたアームストッパーとで構成され、
上記右回転アーム、上記左回転アーム、上記右車輪、上記引っ張りバネが一体で、収納箱の外下方への繰り出し動作及び収納箱への収納動作が可能な構造、
左側板の内側面に固定された左サイドブラケットの穴及び当該右回転アームの穴を通るパイプシャフトを介して回転する当該右回転アームと、
左内部板の穴及び当該左回転アームの穴を通るパイプシャフトを介して回転する当該左回転アームと、
当該右回転アームのもう一方の穴及び当該左回転アームのもう一方の穴と連結固定されたパイプシャフトを介して回転する左車輪と、
左内部板の内側面に固定されたバネポスト及び当該左回転アームに固定されたバネポスト、及びそのふたつのバネポストに固定された引っ張りバネと、
上記左サイドブラケットに固定されたアームストッパーとで構成され、
上記当該左回転アーム、上記当該右回転アーム、上記左車輪、上記引っ張りバネが一体で、収納箱の外下方への繰り出し動作及び収納箱への収納動作が可能な構造を含む、請求項３に記載の避難用カート。
【請求項７】
上記キャスター繰出し収納機構部が、右内部板及び左内部板の穴を通る丸パイプを介して固設された回転可能な二つのクランク角パイプ並行連結形状のキャスターブラケットと、
当該キャスターブラケットの夫々のクランク形状角パイプの一端に夫々キャスターベースが固定されたキャスターと、
当該キャスターブラケットの夫々のクランク形状角パイプの他端内側に固定されたバネポストと、
前面板内側面下部に固設されたＵ字形状の金具バネブラケットと、
当該バネブラケット両端外側に夫々固定されたバネポストと、
上記当該キャスターブラケットの夫々のクランク形状角パイプの他端内側に固定されたバネポストと当該バネブラケット両端外側に夫々固定されたバネポストに固定された引っ張りバネとで構成され、
上記キャスターブラケットの丸パイプを回転軸に、上記キャスターブラケット、上記キャスター、上記クランク形状角パイプの他端内側に固定されたバネポスト、上記引っ張りバネが一体で、収納箱の外下方への繰り出し動作及び収納箱への収納動作が可能な構造を含む、請求項３に記載の避難用カート。
【請求項８】
上記収納箱が、
右側板の内側に側板枠に沿って固定された矩形の右側面構造用パイプ、左側板の内側に側板枠に沿って固定された矩形の左側面構造用パイプ、右側面構造用パイプと左側面構造用パイプを前面上下、および背面上部で連結固定する構造用パイプ棒、前面板の内側にねじ固定された足置用コの字形状の構造用パイプと、
当該右側面構造用パイプと当該左側面構造用パイプの背面側に両端が連結固定されたパイプ軸と、
当該パイプ軸の右端側で一端がパイプ軸固定され他端が車輪軸を通るパイプ軸にねじ固定された右車輪用の左右の長円ト形状板の車輪繰り出し収納用金具と、
当該パイプ軸の左端側で一端がパイプ軸固定され他端が車輪軸を通るパイプ軸にねじ固定された左車輪用の左右の長円ト形状板の車輪繰り出し収納用金具とで構成され、
上記当該車輪繰り出し収納用金具の突起形状部分の先端部突起が、長円形状穴つき長円形状の背面板繰り出し収納用金具の長円形穴と可動連結し、当該背面板繰り出し収納用金具の他端部が背面板下端部にねじ固定され、背面板の可動と車輪の繰り出し収納手動作が連動する構成の車輪繰り出し収納機構部、
上記右側板の内側に側板枠に沿って固定された矩形の右側面構造用パイプの前下方位置、及び左側板の内側に側板枠に沿って固定された矩形の左側面構造用パイプの前下方位置にそれぞれキャスター着脱用穴付き台座を溶接固定した構造のキャスター着脱操作機構部、
上記右側板の内側に側板枠に沿って固定された矩形の右側面構造用パイプの前下方位置、及び左側板の内側に側板枠に沿って固定された矩形の左側面構造用パイプの前下方位置に、前面板枠内側に沿って固定されたＵ字形状のパイプの両端を可動可能なねじ固定した構造の可動足置板を含む、請求項２に記載の避難用カート。
【請求項９】
上記車輪繰り出し収納操作機構部が、右側板の内側に側板枠に沿って固定された矩形の右側面構造用パイプ、左側板の内側に側板枠に沿って固定された矩形の左側面構造用パイプ、右側面構造用パイプと左側面構造用パイプを前面上下、および背面上部で連結固定する構造用パイプ棒、前面板の内側にねじ固定された足置用コの字形状の構造用パイプと、
当該右側面構造用パイプと当該左側面構造用パイプの背面側に両端が連結固定されたパイプ軸と、
当該パイプ軸の右端側で一端がパイプ軸固定され他端が車輪軸を通るパイプ軸にねじ固定された右車輪用の左右の長円ト形状板の車輪繰り出し収納用金具と、
当該パイプ軸の左端側で一端がパイプ軸固定され他端が車輪軸を通るパイプ軸にねじ固定された左車輪用の左右の長円ト形状板の車輪繰り出し収納用金具とで構成され、
上記当該車輪繰り出し収納用金具の突起形状部分の先端部突起が、長円形状穴つき長円形状の背面板繰り出し収納用金具の長円形穴と可動連結し、当該背面板繰り出し収納用金具の他端部が背面板下端部にねじ固定され、背面板の可動と車輪の繰り出し収納手動作が連動する構造を含む、請求項９に記載の避難用カート。
【請求項１０】
上記キャスター着脱操作機構部が、上記右側板の内側に側板枠に沿って固定された矩形の右側面構造用パイプの前下方位置、及び左側板の内側に側板枠に沿って固定された矩形の左側面構造用パイプの前下方位置にそれぞれキャスター着脱用穴付き台座を溶接固定した構造を含む、請求項９に記載の避難用カート。
【手続補正書】
【提出日】平成27年11月25日(2015.11.25)
【手続補正１】
【補正対象書類名】実用新案登録請求の範囲
【補正対象項目名】全文
【補正方法】変更
【補正の内容】
【実用新案登録請求の範囲】
【請求項１】
座板と右側板と左側板と背面板と前面板とで収納箱を形成し、箱内に一対の車輪および一対のキャスターを収納し、一対の車輪および一対のキャスターは、収納箱の外下方へ引き出し可能に構成している避難用カート。
【請求項２】
上記収納箱が、
右内部板と左内部板の両内面側に固定された長方形状板ロック部ベースＡと、長方形状板ロック部ベースＡ中央に垂直固定された凸形状板ロック部ベースＢとで構成されたロック部ベースと、
多角形状板右前ロックアームと多角形状板左前ロックアームを逆凸型形状板の前ロックレバーの右端及び左端にそれぞれ垂直固設する逆凸型形状板の前ロックレバーと、
多角形状板右後ロックアームと多角形状板左後ロックアームを凸型形状板の後ロックレバーの右端及び左端にそれぞれ垂直固設する凸型形状板の後ロックレバーと、
ノックピンが凹型形状板の後ロックストッパーの凹部内側上下左右に配置固定された、右内部板と左内部板の両内面側に設けた長方形状のほぞ溝に上下可動可能に挟まれた、凹型形状板の後ロックストッパーとで構成され、
上記前ロックレバーは垂直固設した左右前ロックアーム後方端が上記ロック部ベースＢの左右にねじ固定、前ロックレバー板中央後方上部が上記ロック部ベースＡ下部とばねを挟んでロック部ベースＡに長ねじ固定されることにより前ロックレバー前端の上下手操作可動が可能な構造、
上記後ロックレバーは垂直固設した左右後ロックアーム上部端がロック部ベースＢの左右にねじ固定、後ロックレバー中央前方上部が上記ロック部ベースＡ下部とばねを挟んでロック部ベースＡに長ねじ固定されることにより後ロックレバー後端の上下手操作可動が可能な構造、
上記後ロックストッパーの上下ノックピン間に上記後ロックレバー後端を挟み、後ロックレバー後端の上下手操作可動と同時に後ロックストッパー板の上下可動が可能な構造の繰り出し収納操作機構部、
右側板の内側面に固定された右サイドブラケットの穴及び右回転アームの穴を通るパイプシャフトを介して回転する右回転アームと、
右内部板の穴及び左回転アームの穴を通るパイプシャフトを介して回転する左回転アームと、
上記右回転アームのもう一方の穴及び上記左回転アームのもう一方の穴と連結固定されたパイプシャフトを介して回転する右車輪と、
右内部板の内側面に固定されたバネポスト及び左回転アームに固定されたバネポスト、及びそのふたつのバネポストに固定された引っ張りバネと、
上記右サイドブラケットに固定されたアームストッパーとで構成され、
上記右回転アーム、上記左回転アーム、上記右車輪、上記引っ張りバネが一体で、収納箱の外下方への繰り出し動作及び収納箱への収納動作が可能な構造、
左側板の内側面に固定された左サイドブラケットの穴及び当該右回転アームの穴を通るパイプシャフトを介して回転する当該右回転アームと、
左内部板の穴及び当該左回転アームの穴を通るパイプシャフトを介して回転する当該左回転アームと、
当該右回転アームのもう一方の穴及び当該左回転アームのもう一方の穴と連結固定されたパイプシャフトを介して回転する左車輪と、
左内部板の内側面に固定されたバネポスト及び当該左回転アームに固定されたバネポスト、及びそのふたつのバネポストに固定された引っ張りバネと、
上記左サイドブラケットに固定されたアームストッパーとで構成され、
上記当該左回転アーム、上記当該右回転アーム、上記左車輪、上記引っ張りバネが一体で、収納箱の外下方への繰り出し動作及び収納箱への収納動作が可能な構造の車輪繰り出し収納機構部、
右内部板及び左内部板の穴を通る丸パイプを介して固設された回転可能な二つのクランク角パイプ並行連結形状のキャスターブラケットと、
当該キャスターブラケットの夫々のクランク形状角パイプの一端に夫々キャスターベースが固定されたキャスターと、
当該キャスターブラケットの夫々のクランク形状角パイプの他端内側に固定されたバネポストと、
前面板内側面下部に固設されたＵ字形状の金具バネブラケットと、
当該バネブラケット両端外側に夫々固定されたバネポストと、
上記当該キャスターブラケットの夫々のクランク形状角パイプの他端内側に固定されたバネポストと当該バネブラケット両端外側に夫々固定されたバネポストに固定された引っ張りバネとで構成され、
上記キャスターブラケットの丸パイプを回転軸に、上記キャスターブラケット、上記キャスター、上記クランク形状角パイプの他端内側に固定されたバネポスト、上記引っ張りバネが一体で、収納箱の外下方への繰り出し動作及び収納箱への収納動作が可能な構造のキャスター繰出し収納機構部を含む、請求項１に記載の避難用カート。
【請求項３】
車輪、キャスター収納時は、上記繰り出し収納操作機構部の後ロックストッパー下端が上記車輪繰り出し収納機構部の左右回転アームの淵に設けられた角溝に噛んでおり車輪は収納された位置で固定され、また上記繰り出し収納操作機構部の前ロックレバーに固設されている左右前ロックアームの前下端部が上記キャスター繰出し収納機構部のキャスターブラケットの後下端部を前方に抑え固定することによりキャスターは収納された位置で固定される構造、
車輪、キャスター繰出し時は、上記繰り出し収納操作機構部の後ロックレバー後端を上方へ動かす手操作により、後ロックストッパー下端が上記車輪繰り出し収納機構部の左右回転アームの淵に設けられた角溝から外れ、車輪、上記回転アーム、上記引っ張りバネが一体で、収納箱の外下方へ繰り出され、後ロックストッパー下端が上記車輪繰り出し収納機構部の左右回転アームの淵に設けられた上記角溝とは別の角溝に噛んで車輪は繰出された位置で固定され、また上記繰り出し収納操作機構部の前ロックレバー前端を上方へ動かす手操作により上記キャスター繰出し収納機構部のキャスターブラケットの後下端部を前方に抑え固定していた左右前ロックアームの前下端部が上方へ上がり、抑え固定がはずれ、上記キャスターブラケット、上記キャスター、上記キャスターブラケットの夫々のクランク形状角パイプの他端内側に固定されたバネポスト、上記引っ張りバネが一体で、収納箱の外下方へ繰り出され、キャスターブラケットの後上端部を上記繰り出し収納操作機構部の後ロックアーム下方前先端部が下方へ抑え固定することによりキャスターは繰り出された位置で固定される構造を含む、請求項１に記載の避難用カート。
【請求項４】
上記繰出し収納操作機構部が、右内部板と左内部板の両内面側に固定された長方形状板ロック部ベースＡと、長方形状板ロック部ベースＡ中央に垂直固定された凸形状板ロック部ベースＢとで構成されたロック部ベースと、
多角形状板右前ロックアームと多角形状板左前ロックアームを逆凸型形状板の前ロックレバーの右端及び左端にそれぞれ垂直固設する逆凸型形状板の前ロックレバーと、
多角形状板右後ロックアームと多角形状板左後ロックアームを凸型形状板の後ロックレバーの右端及び左端にそれぞれ垂直固設する凸型形状板の後ロックレバーと、
ノックピンが凹型形状板の後ロックストッパーの凹部内側上下左右に配置固定された、右内部板と左内部板の両内面側に設けた長方形状のほぞ溝に上下可動可能に挟まれた、凹型形状板の後ロックストッパーとで構成され、
上記前ロックレバーは垂直固設した左右前ロックアーム後方端が上記ロック部ベースＢの左右にねじ固定、前ロックレバー板中央後方上部が上記ロック部ベースＡ下部とばねを挟んでロック部ベースＡに長ねじ固定されることにより前ロックレバー前端の上下手操作可動が可能な構造、
上記後ロックレバーは垂直固設した左右後ロックアーム上部端がロック部ベースＢの左右にねじ固定、後ロックレバー中央前方上部が上記ロック部ベースＡ下部とばねを挟んでロック部ベースＡに長ねじ固定されることにより後ロックレバー後端の上下手操作可動が可能な構造、
上記後ロックストッパーの上下ノックピン間に上記後ロックレバー後端を挟み、後ロックレバー後端の上下手操作可動と同時に後ロックストッパー板の上下可動が可能な構造を含む、請求項２に記載の避難カート
【請求項５】
上記ロック部ベースが、右内部板と左内部板の両内面側に固定された長方形状板ロック部ベースＡと、長方形状板ロック部ベースＡ中央に垂直固定された凸形状板ロック部ベースＢを含む、請求項４に記載の避難用カート。
【請求項６】
上記車輪繰出し収納機構部が、右側板の内側面に固定された右サイドブラケットの穴及び右回転アームの穴を通るパイプシャフトを介して回転する右回転アームと、
右内部板の穴及び左回転アームの穴を通るパイプシャフトを介して回転する左回転アームと、
上記右回転アームのもう一方の穴及び上記左回転アームのもう一方の穴と連結固定されたパイプシャフトを介して回転する右車輪と、
右内部板の内側面に固定されたバネポスト及び左回転アームに固定されたバネポスト、及びそのふたつのバネポストに固定された引っ張りバネと、
上記右サイドブラケットに固定されたアームストッパーとで構成され、
上記右回転アーム、上記左回転アーム、上記右車輪、上記引っ張りバネが一体で、収納箱の外下方への繰り出し動作及び収納箱への収納動作が可能な構造、
左側板の内側面に固定された左サイドブラケットの穴及び当該右回転アームの穴を通るパイプシャフトを介して回転する当該右回転アームと、
左内部板の穴及び当該左回転アームの穴を通るパイプシャフトを介して回転する当該左回転アームと、
当該右回転アームのもう一方の穴及び当該左回転アームのもう一方の穴と連結固定されたパイプシャフトを介して回転する左車輪と、
左内部板の内側面に固定されたバネポスト及び当該左回転アームに固定されたバネポスト、及びそのふたつのバネポストに固定された引っ張りバネと、
上記左サイドブラケットに固定されたアームストッパーとで構成され、
上記当該左回転アーム、上記当該右回転アーム、上記左車輪、上記引っ張りバネが一体で、収納箱の外下方への繰り出し動作及び収納箱への収納動作が可能な構造を含む、請求項２に記載の避難用カート。
【請求項７】
上記キャスター繰出し収納機構部が、右内部板及び左内部板の穴を通る丸パイプを介して固設された回転可能な二つのクランク角パイプ並行連結形状のキャスターブラケットと、
当該キャスターブラケットの夫々のクランク形状角パイプの一端に夫々キャスターベースが固定されたキャスターと、
当該キャスターブラケットの夫々のクランク形状角パイプの他端内側に固定されたバネポストと、
前面板内側面下部に固設されたＵ字形状の金具バネブラケットと、
当該バネブラケット両端外側に夫々固定されたバネポストと、
上記当該キャスターブラケットの夫々のクランク形状角パイプの他端内側に固定されたバネポストと当該バネブラケット両端外側に夫々固定されたバネポストに固定された引っ張りバネとで構成され、
上記キャスターブラケットの丸パイプを回転軸に、上記キャスターブラケット、上記キャスター、上記クランク形状角パイプの他端内側に固定されたバネポスト、上記引っ張りバネが一体で、収納箱の外下方への繰り出し動作及び収納箱への収納動作が可能な構造を含む、請求項２に記載の避難用カート。
【請求項８】
上記収納箱が、
右側板の内側に側板枠に沿って固定された矩形の右側面構造用パイプ、左側板の内側に側板枠に沿って固定された矩形の左側面構造用パイプ、右側面構造用パイプと左側面構造用パイプを前面上下、および背面上部で連結固定する構造用パイプ棒、前面板の内側にねじ固定された足置用コの字形状の構造用パイプと、
当該右側面構造用パイプと当該左側面構造用パイプの背面側に両端が連結固定されたパイプ軸と、
当該パイプ軸の右端側で一端がパイプ軸固定され他端が車輪軸を通るパイプ軸にねじ固定された右車輪用の左右の長円ト形状板の車輪繰り出し収納用金具と、
当該パイプ軸の左端側で一端がパイプ軸固定され他端が車輪軸を通るパイプ軸にねじ固定された左車輪用の左右の長円ト形状板の車輪繰り出し収納用金具とで構成され、
上記当該車輪繰り出し収納用金具の突起形状部分の先端部突起が、長円形状穴つき長円形状の背面板繰り出し収納用金具の長円形穴と可動連結し、当該背面板繰り出し収納用金具の他端部が背面板下端部にねじ固定され、背面板の可動と車輪の繰り出し収納手動作が連動する構成の車輪繰り出し収納機構部、
上記右側板の内側に側板枠に沿って固定された矩形の右側面構造用パイプの前下方位置、及び左側板の内側に側板枠に沿って固定された矩形の左側面構造用パイプの前下方位置にそれぞれキャスター着脱用穴付き台座を溶接固定した構造のキャスター着脱操作機構部、
上記右側板の内側に側板枠に沿って固定された矩形の右側面構造用パイプの前下方位置、及び左側板の内側に側板枠に沿って固定された矩形の左側面構造用パイプの前下方位置に、前面板枠内側に沿って固定されたＵ字形状のパイプの両端を可動可能なねじ固定した構造の可動足置板を含む、請求項１に記載の避難用カート。
【請求項９】
上記車輪繰り出し収納操作機構部が、右側板の内側に側板枠に沿って固定された矩形の右側面構造用パイプ、左側板の内側に側板枠に沿って固定された矩形の左側面構造用パイプ、右側面構造用パイプと左側面構造用パイプを前面上下、および背面上部で連結固定する構造用パイプ棒、前面板の内側にねじ固定された足置用コの字形状の構造用パイプと、
当該右側面構造用パイプと当該左側面構造用パイプの背面側に両端が連結固定されたパイプ軸と、
当該パイプ軸の右端側で一端がパイプ軸固定され他端が車輪軸を通るパイプ軸にねじ固定された右車輪用の左右の長円ト形状板の車輪繰り出し収納用金具と、
当該パイプ軸の左端側で一端がパイプ軸固定され他端が車輪軸を通るパイプ軸にねじ固定された左車輪用の左右の長円ト形状板の車輪繰り出し収納用金具とで構成され、
上記当該車輪繰り出し収納用金具の突起形状部分の先端部突起が、長円形状穴つき長円形状の背面板繰り出し収納用金具の長円形穴と可動連結し、当該背面板繰り出し収納用金具の他端部が背面板下端部にねじ固定され、背面板の可動と車輪の繰り出し収納手動作が連動する構造を含む、請求項８に記載の避難用カート。
【請求項１０】
上記キャスター着脱操作機構部が、上記右側板の内側に側板枠に沿って固定された矩形の右側面構造用パイプの前下方位置、及び左側板の内側に側板枠に沿って固定された矩形の左側面構造用パイプの前下方位置にそれぞれキャスター着脱用穴付き台座を溶接固定した構造を含む、請求項８に記載の避難用カート。
【手続補正書】
【提出日】平成28年1月25日(2016.1.25)
【手続補正１】
【補正対象書類名】実用新案登録請求の範囲
【補正対象項目名】請求項３
【補正方法】変更
【補正の内容】
【請求項３】
車輪、キャスター収納時は、上記繰り出し収納操作機構部の後ロックストッパー下端が上記車輪繰り出し収納機構部の左右回転アームの淵に設けられた角溝に噛んでおり車輪は収納された位置で固定され、また上記繰り出し収納操作機構部の前ロックレバーに固設されている左右前ロックアームの前下端部が上記キャスター繰出し収納機構部のキャスターブラケットの後下端部を前方に抑え固定することによりキャスターは収納された位置で固定される構造、
車輪、キャスター繰出し時は、上記繰り出し収納操作機構部の後ロックレバー後端を上方へ動かす手操作により、後ロックストッパー下端が上記車輪繰り出し収納機構部の左右回転アームの淵に設けられた角溝から外れ、車輪、上記回転アーム、上記引っ張りバネが一体で、収納箱の外下方へ繰り出され、後ロックストッパー下端が上記車輪繰り出し収納機構部の左右回転アームの淵に設けられた上記角溝とは別の角溝に噛んで車輪は繰出された位置で固定され、また上記繰り出し収納操作機構部の前ロックレバー前端を上方へ動かす手操作により上記キャスター繰出し収納機構部のキャスターブラケットの後下端部を前方に抑え固定していた左右前ロックアームの前下端部が上方へ上がり、抑え固定がはずれ、上記キャスターブラケット、上記キャスター、上記キャスターブラケットの夫々のクランク形状角パイプの他端内側に固定されたバネポスト、上記引っ張りバネが一体で、収納箱の外下方へ繰り出され、キャスターブラケットの後上端部を上記繰り出し収納操作機構部の後ロックアーム下方前先端部が下方へ抑え固定することによりキャスターは繰り出された位置で固定される構造を含む、請求項２に記載の避難用カート。